(57)【要約】【課題】主弁体と案内孔との間に形成される摺動面間隙に異物が溜まらないようにでき、もって、弁ロック、主弁体置き去り等の作動不良を生じ難くできる可変容量型圧縮機用制御弁を提供する。【解決手段】弁口２２の閉弁時に案内孔１９の摺動面部１９ｆの内側に入り込む主弁体１０（の中間嵌挿部１０ｃ）の摺動面部１０ｆの下端部が、弁口２２の開弁時に、案内孔１９における摺動面部１９ｆから弁口２２側へ突出するようにされる。【選択図】図５
2019132137.tif 000002
【特許請求の範囲】
【請求項１】
主弁体部を有する主弁体と、
前記主弁体が摺動自在に嵌挿される案内孔と該案内孔の端部に形成されて前記主弁体部が接離する弁口が設けられた弁室と圧縮機の吸入室に連通するＰｓ入出口とを有し、前記弁口より上流側に圧縮機の吐出室に連通するＰｄ導入口が設けられるとともに、前記弁口より下流側に前記圧縮機のクランク室に連通するＰｃ入出口が設けられた弁本体と、
前記主弁体を弁口開閉方向に移動させるための電磁式アクチュエータと、
前記圧縮機から吸入圧力Ｐｓが前記Ｐｓ入出口を介して導入される感圧室と、
前記感圧室の圧力に応じて前記主弁体を弁口開閉方向に付勢する感圧応動部材と、を備え、
前記弁口の閉弁時に前記案内孔の案内孔側摺動面部の内側に入り込む前記主弁体の主弁体側摺動面部の一部が、前記弁口の開弁時に、前記案内孔における前記案内孔側摺動面部から前記弁口側へ突出するようにされていることを特徴とする可変容量型圧縮機用制御弁。
【請求項２】
前記案内孔側摺動面部の前記弁口側端部に、前記案内孔側摺動面部より幅広の拡幅部が設けられ、
前記主弁体の主弁体側摺動面部の一部が、前記弁口の開弁時に、前記拡幅部の内側もしくは前記拡幅部より前記弁口側まで突出するようにされていることを特徴とする請求項１に記載の可変容量型圧縮機用制御弁。
【請求項３】
前記案内孔側摺動面部の前記弁口側端部に、凹溝が設けられ、
前記主弁体の主弁体側摺動面部の一部が、前記弁口の開弁時に、前記凹溝の内側もしくは前記凹溝より前記弁口側まで突出するようにされていることを特徴とする請求項１に記載の可変容量型圧縮機用制御弁。
【請求項４】
前記主弁体の外周に環状溝が設けられ、
少なくとも前記主弁体の前記環状溝を含む部分が、前記弁口の開弁時に、前記案内孔における前記案内孔側摺動面部から前記弁口側へ突出するようにされていることを特徴とする請求項１から３のいずれか一項に記載の可変容量型圧縮機用制御弁。
【請求項５】
前記主弁体における前記主弁体側摺動面部の直下に、段差部を介して下部小径部が設けられていることを特徴とする請求項１から４のいずれか一項に記載の可変容量型圧縮機用制御弁。
【請求項６】
弁口開閉方向に対して垂直な方向で視て、前記主弁体の主弁体側摺動面部の一部が、前記弁口の開弁時に、前記案内孔側摺動面部と前記弁口との間で前記案内孔に連通せしめられた前記Ｐｄ導入口に対応する位置まで突出しないようになっていることを特徴とする請求項１から５のいずれか一項に記載の可変容量型圧縮機用制御弁。
【請求項７】
弁口開閉方向に対して垂直な方向で視て、前記主弁体の主弁体側摺動面部の一部が、前記弁口の開弁時に、前記案内孔側摺動面部と前記弁口との間で前記案内孔に連通せしめられた前記Ｐｄ導入口に対応する位置まで突出するようになっていることを特徴とする請求項１から５のいずれか一項に記載の可変容量型圧縮機用制御弁。
【請求項８】
前記弁本体における前記Ｐｓ入出口と前記Ｐｄ導入口又は前記Ｐｃ入出口との間に前記案内孔の案内孔側摺動面部が設けられていることを特徴とする請求項１から７のいずれか一項に記載の可変容量型圧縮機用制御弁。
【請求項９】
前記クランク室の圧力Ｐｃを前記Ｐｓ入出口を介して前記圧縮機の吸入室に逃がすための弁内逃がし通路が前記弁本体内又は前記主弁体内に設けられるとともに、前記弁内逃がし通路を開閉する副弁体が設けられていることを特徴とする請求項１から８のいずれか一項に記載の可変容量型圧縮機用制御弁。
【発明の詳細な説明】
【技術分野】
【０００１】
本発明は、カーエアコン等に使用される可変容量型圧縮機用制御弁に係り、特に、弁体と案内孔との間に形成される摺動面間隙に侵入する異物に起因する弁体の作動不良を生じ難くされた可変容量型圧縮機用制御弁に関する。
【背景技術】
【０００２】
一般に、カーエアコン等に使用される可変容量型圧縮機用制御弁は、圧縮機の吐出室から吐出圧力Ｐｄが導入されるとともに、その吐出圧力Ｐｄを圧縮機の吸入圧力Ｐｓに応じて調圧することによりクランク室の圧力Ｐｃを制御するようになっており、通常、下記特許文献１等にも見られるように、弁口が設けられた弁室及び圧縮機の吸入室に連通するＰｓ入出口を有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記弁口を開閉するための主弁体（弁棒）と、該主弁体を弁口開閉方向に移動させるためのプランジャを有する電磁式アクチュエータと、前記圧縮機から吸入圧力Ｐｓが前記Ｐｓ入出口を介して導入される感圧室と、該感圧室の圧力に応じて前記主弁体を弁口開閉方向に付勢するベローズ装置等の感圧応動部材と、を備えている。
【０００３】
また、下記特許文献２等に所載の可変容量型圧縮機用制御弁は、上記構成に加えて、前記クランク室の圧力Ｐｃを前記Ｐｓ入出口を介して前記圧縮機の吸入室に逃がすための弁内逃がし通路が設けられるとともに、該弁内逃がし通路を開閉する副弁体が設けられ、前記電磁式アクチュエータの吸引力により前記プランジャが最下降位置から上方向に連続的に移動せしめられるとき、前記プランジャと一緒に前記副弁体が前記弁内逃がし通路を閉じたまま上方向に移動するとともに、該副弁体に追従するように主弁体が上方向に移動せしめられ、前記主弁体により前記弁口が閉じられた後、さらに前記プランジャが上方向に移動せしめられると、前記副弁体が前記弁内逃がし通路を開くようにされている。
【先行技術文献】
【特許文献】
【０００４】
【特許文献１】特許第５５５３５１４号公報
【特許文献２】特開２０１３−１３０１２６号公報
【発明の概要】
【発明が解決しようとする課題】
【０００５】
ところで、上記特許文献１、２等に所載の従来の可変容量型圧縮機用制御弁では、弁口を開閉する主弁体は、弁本体に設けられた案内孔に摺動自在に嵌挿されており、主弁体（の外周面）と案内孔（の内壁面）との間に形成される摺動面間隙（クリアランス）に異物（加工組立時から残っている切削研磨屑、研磨材、摺動摩擦による摩耗分、外部からの塵埃等）が詰まって主弁体が動きにくくなる（弁ロック、弁体置き去り）等の作動不良が発生する可能性があった。
【０００６】
特に、上記特許文献１、２等に所載の従来の可変容量型圧縮機用制御弁では、弁口の閉弁時に、Ｐｓ入出口とＰｄ導入口の圧力差によって前記摺動面間隙に異物が侵入するが、弁口の開弁時に、主弁体の摺動部分（摺動面部）が案内孔の摺動部分（摺動面部）の内側でのみ動作するため、前記摺動面間隙に異物が溜まって詰まりやすくなる懸念があった。
【０００７】
本発明は、上記事情に鑑みてなされたもので、その目的とするところは、主弁体と案内孔との間に形成される摺動面間隙に異物が溜まらないようにでき、もって、弁ロック、主弁体置き去り等の作動不良を生じ難くできる可変容量型圧縮機用制御弁を提供することにある。
【課題を解決するための手段】
【０００８】
前記目的を達成すべく、本発明に係る可変容量型圧縮機用制御弁は、基本的に、主弁体部を有する主弁体と、前記主弁体が摺動自在に嵌挿される案内孔と該案内孔の端部に形成されて前記主弁体部が接離する弁口が設けられた弁室と圧縮機の吸入室に連通するＰｓ入出口とを有し、前記弁口より上流側に圧縮機の吐出室に連通するＰｄ導入口が設けられるとともに、前記弁口より下流側に前記圧縮機のクランク室に連通するＰｃ入出口が設けられた弁本体と、前記主弁体を弁口開閉方向に移動させるための電磁式アクチュエータと、前記圧縮機から吸入圧力Ｐｓが前記Ｐｓ入出口を介して導入される感圧室と、前記感圧室の圧力に応じて前記主弁体を弁口開閉方向に付勢する感圧応動部材と、を備え、前記弁口の閉弁時に前記案内孔の案内孔側摺動面部の内側に入り込む前記主弁体の主弁体側摺動面部の一部が、前記弁口の開弁時に、前記案内孔における前記案内孔側摺動面部から前記弁口側へ突出するようにされていることを特徴としている。
【０００９】
好ましい態様では、前記案内孔側摺動面部の前記弁口側端部に、前記案内孔側摺動面部より幅広の拡幅部が設けられ、前記主弁体の主弁体側摺動面部の一部が、前記弁口の開弁時に、前記拡幅部の内側もしくは前記拡幅部より前記弁口側まで突出するようにされる。
【００１０】
他の好ましい態様では、前記案内孔側摺動面部の前記弁口側端部に、凹溝が設けられ、前記主弁体の主弁体側摺動面部の一部が、前記弁口の開弁時に、前記凹溝の内側もしくは前記凹溝より前記弁口側まで突出するようにされる。
【００１１】
別の好ましい態様では、前記主弁体の外周に環状溝が設けられ、少なくとも前記主弁体の前記環状溝を含む部分が、前記弁口の開弁時に、前記案内孔における前記案内孔側摺動面部から前記弁口側へ突出するようにされる。
【００１２】
別の好ましい態様では、前記主弁体における前記主弁体側摺動面部の直下に、段差部を介して下部小径部が設けられる。
【００１３】
別の好ましい態様では、弁口開閉方向に対して垂直な方向で視て、前記主弁体の主弁体側摺動面部の一部が、前記弁口の開弁時に、前記案内孔側摺動面部と前記弁口との間で前記案内孔に連通せしめられた前記Ｐｄ導入口に対応する位置まで突出しないようになっている。
【００１４】
別の好ましい態様では、弁口開閉方向に対して垂直な方向で視て、前記主弁体の主弁体側摺動面部の一部が、前記弁口の開弁時に、前記案内孔側摺動面部と前記弁口との間で前記案内孔に連通せしめられた前記Ｐｄ導入口に対応する位置まで突出するようになっている。
【００１５】
別の好ましい態様では、前記弁本体における前記Ｐｓ入出口と前記Ｐｄ導入口又は前記Ｐｃ入出口との間に前記案内孔の案内孔側摺動面部が設けられる。
【００１６】
別の好ましい態様では、前記クランク室の圧力Ｐｃを前記Ｐｓ入出口を介して前記圧縮機の吸入室に逃がすための弁内逃がし通路が前記弁本体内又は前記主弁体内に設けられるとともに、前記弁内逃がし通路を開閉する副弁体が設けられる。
【発明の効果】
【００１７】
本発明によれば、弁口の開弁時に、主弁体の主弁体側摺動面部の一部が案内孔における案内孔側摺動面部から弁口側へ突出することにより、弁口の閉弁時に主弁体と案内孔との間に形成される摺動面隙間（クリアランス）に侵入した異物が、弁口の開弁時に案内孔側摺動面部から弁口側へ突出する主弁体によって当該摺動面隙間（クリアランス）から弁口及び弁室を通ってＰｃ入出口側に排出されやすくなり、当該摺動面間隙に異物が溜まらないようにできるので、弁ロック、主弁体置き去り等の作動不良を生じ難くできる。
【図面の簡単な説明】
【００１８】
【図１】本発明に係る可変容量型圧縮機用制御弁の第１実施形態の主弁：開、副弁：閉の状態（通常制御時）を示す縦断面図。
【図２】本発明に係る可変容量型圧縮機用制御弁の第１実施形態の主弁：閉、副弁：閉の状態（圧縮機起動移行時（その１））を示す縦断面図。
【図３】本発明に係る可変容量型圧縮機用制御弁の第１実施形態の主弁：閉、副弁：閉の状態（圧縮機起動移行時（その２））を示す縦断面図。
【図４】本発明に係る可変容量型圧縮機用制御弁の第１実施形態の主弁：閉、副弁：開の状態（圧縮機起動時）を示す縦断面図。
【図５】図１のＡ部拡大図。
【図６】図２のＢ部拡大図。
【図７】図１のＵ−Ｕ矢視線に従う断面図。
【図８】本発明に係る可変容量型圧縮機用制御弁の第１実施形態に用いられる副弁体を示す図であり、（Ａ）は斜視図、（Ｂ）は正面図、（Ｃ）は左側面図、（Ｄ）は上面図、（Ｅ）は下面図、（Ｆ）は（Ｃ）のＶ−Ｖ矢視線に従う断面図。
【図９】本発明に係る可変容量型圧縮機用制御弁の第１実施形態の他例を示す要部拡大縦断面図。
【図１０】本発明に係る可変容量型圧縮機用制御弁の第１実施形態の他例を示す要部拡大縦断面図。
【図１１】本発明に係る可変容量型圧縮機用制御弁の第１実施形態の他例を示す要部拡大縦断面図。
【図１２】本発明に係る可変容量型圧縮機用制御弁の第２実施形態の主弁：開、副弁：閉の状態（通常制御時）を示す縦断面図。
【図１３】本発明に係る可変容量型圧縮機用制御弁の第２実施形態の主弁：閉、副弁：閉の状態（圧縮機起動移行時）を示す縦断面図。
【図１４】本発明に係る可変容量型圧縮機用制御弁の第２実施形態の主弁：閉、副弁：開の状態（圧縮機起動時）を示す縦断面図。
【図１５】図１２のＣ部拡大図。
【図１６】図１３のＤ部拡大図。
【図１７】図１２のＸ−Ｘ矢視線に従う断面図。
【発明を実施するための形態】
【００１９】
以下、本発明の実施形態を図面を参照しながら説明する。
【００２０】
＜第１実施形態＞
図１〜図４は、それぞれ本発明に係る可変容量型圧縮機用制御弁の第１実施形態を示す縦断面図であり、図１は主弁：開、副弁：閉の状態（通常制御時）、図２及び図３は主弁：閉、副弁：閉の状態（圧縮機起動移行時）、図４は主弁：閉、副弁：開の状態（圧縮機起動時）を示している。また、図５は、図１のＡ部拡大図、図６は、図２のＢ部拡大図、図７は、図１のＵ−Ｕ矢視線に従う断面図である。
【００２１】
なお、本明細書において、上下、左右、前後等の位置、方向を表わす記述は、説明が煩瑣になるのを避けるために図面に従って便宜上付けたものであり、実際に圧縮機に組み込まれた状態での位置、方向を指すとは限らない。
【００２２】
また、各図において、部材間に形成される隙間や部材間の離隔距離等は、発明の理解を容易にするため、また、作図上の便宜を図るため、各構成部材の寸法に比べて大きくあるいは小さく描かれている場合がある。
【００２３】
［制御弁１の構成］
図示実施形態の制御弁１は、基本的に、弁口２２が設けられた弁本体２０と、弁口２２を開閉するための主弁体１０と、該主弁体１０を弁口開閉方向（上下方向）に移動させるための電磁式アクチュエータ３０と、感圧応動部材としてのベローズ装置４０とを備えている。
【００２４】
電磁式アクチュエータ３０は、ボビン３８、該ボビン３８に外装された通電励磁用のコイル３２、コイル３２の内周側に配在されたステータ３３及び吸引子３４、ステータ３３及び吸引子３４の下端部外周（段差部）にその上端部が溶接により接合された案内パイプ３５、吸引子３４の下方で案内パイプ３５の内周側に上下方向に摺動自在に配在された有底円筒状のプランジャ３７、前記コイル３２に外挿される円筒状のハウジング６０、取付板３９を介してハウジング６０の上側に取り付けられたコネクタ部３１、及び、ハウジング６０の下端部と案内パイプ３５の下端部との間に配在されてそれらを弁本体２０（の本体部材２０Ａ）の上部に固定するためのホルダ２９を備えている。本例においては、円筒状のステータ３３の下部内周に、該ステータ３３の内径より小径の挿通穴３４ａがその中央に（軸線Ｏに沿って）形成された円筒状の吸引子３４が一体成形されている。ここでは、電磁式アクチュエータ３０のうちの、プランジャ３７を除いた、コイル３２、ステータ３３、及び吸引子３４等からなる部分をソレノイド部３０Ａと称する。
【００２５】
前記ステータ３３の上部には、円筒状の保持部材６４の内周に形成された雌ねじ部６４ａに、六角穴付きの調節ねじ６５の外周に形成された雄ねじ部６５ａが螺合せしめられた調節部材６１が設けられている。この調節部材６１において、前記調節ねじ６５の下半部が前記保持部材６４の下半部に（間にシール材としてのＯリング６２を介装して）内嵌されるとともに、調節ねじ６５の上部外周に設けられた雄ねじ部６５ａが保持部材６４の上部内周に設けられた雌ねじ部６４ａに螺着されている。この調節部材６１は、コネクタ部３１の略中央に貫設された嵌挿穴３１ａ及び取付板３９の略中央に設けられた中央穴３９ａに挿通され、保持部材６４の下部外周に突設されたフランジ部６４ｂと上部外周（に形成された嵌合溝）に嵌め込まれたリング状の押さえ部材６３とが協同して前記コネクタ部３１及び取付板３９に（上下動不能に）保持固定されるとともに、その（保持部材６４の）下端部（フランジ部６４ｂより下側の部分）がステータ３３の上端部の内周側に配在（内挿）されている。
【００２６】
前記ステータ３３の内周側における前記調節部材６１（調節ねじ６５及び保持部材６４）と吸引子３４との間には、圧縮機の吸入圧力Ｐｓが導入される感圧室４５が形成され、この感圧室４５には感圧応動部材としての、ベローズ４１、逆凸字状の上ストッパ４２、逆凹字状の下ストッパ４３、及び圧縮コイルばね４４からなるベローズ装置４０が配在されている。さらに、ベローズ装置４０の下側には、推力伝達部材としての段付き棒状のプッシュロッド４６が軸線Ｏに沿って配在されている。このプッシュロッド４６の略中央は大径（大径部４６ｂ）とされ、下ストッパ４３の凹部内には前記プッシュロッド４６の上端部４６ｄが嵌挿されて支持され、吸引子３４の挿通穴３４ａに前記プッシュロッド４６の上部及び大径部４６ｂが（若干の隙間３４ｂを持って）内挿されている。また、前記プッシュロッド４６の下部は、後述する断面凹状の内装部材１７の凹穴１７ｂに内挿され、その下端部４６ａが、凹穴１７ｂの底部中央に形成された凹状の嵌挿穴１７ｃに嵌め込まれている。
【００２７】
プランジャ３７には、前記吸引子３４の挿通穴３４ａと略同径の縦長の凹穴１７ｂを有する断面凹状の内装部材１７が圧入等により内挿固定されている。この内装部材１７は、その上端部がプランジャ３７の上端部と位置合わせされ（言い換えれば、その上端部がプランジャ３７の上端部内周に位置決めされ）、その下端部がプランジャ３７の底部と隙間を持った状態で（後で詳述するが、主弁体１０の鍔状係止部１０ｋが若干の上下動可能に配置される隙間を持った状態で）、前記プランジャ３７に内嵌されている。内装部材１７の凹穴１７ｂの底部中央には、前記プッシュロッド４６の下端部４６ａが嵌挿される凹状の嵌挿穴１７ｃが形成されている。
【００２８】
プッシュロッド４６の大径部４６ｂの上部に形成される段差部（下向きの環状の段丘面）４６ｃとプランジャ３７に内嵌された内装部材１７の凹穴１７ｂの底部（における嵌挿穴１７ｃ周りの上向きの面）との間には、円筒状の圧縮コイルばねからなるプランジャばね（開弁ばね）４７が縮装されている。このプランジャばね４７（の圧縮力）により、内装部材１７を介してプランジャ３７が下方（開弁方向）に付勢されるとともに、プッシュロッド４６を介して前記ベローズ装置４０が感圧室４５内で保持されている。
【００２９】
また、プランジャ３７の底部には、その外周から中央（軸線Ｏ上）まで直線状に延びるスリット３７ｓが形成されるとともに、プランジャ３７の側部における前記スリット３７ｓに対応する部分には、前記スリット３７ｓより幅広の切欠き３７ｔが設けられている。前記切欠き３７ｔの（上下方向の）高さは、主弁体１０の鍔状係止部１０ｋの高さより若干大きくされており、前記スリット３７ｓの（上下方向の）高さ（つまり、プランジャ３７の底部の厚さ（上下方向の高さ））は、主弁体１０の上部小径部１０ｄの高さより若干小さくされており、主弁体１０は、プランジャ３７に対して上下動可能となっている（後で詳述）。また、前記切欠き３７ｔの（周方向の）幅は、主弁体１０の鍔状係止部１０ｋの外径より若干大きくされており、前記スリット３７ｓの（横方向の）幅は、組立性等を考慮して、主弁体１０の上部小径部１０ｄの外径より若干大きくされるとともに、主弁体１０の鍔状係止部１０ｋの外径より小さくされており、前記プランジャ３７の底部上面における前記スリット３７ｓの外周部分が、主弁体１０の鍔状係止部１０ｋを掛止するための内鍔状掛止部３７ｋとされている。
【００３０】
さらに、前記プランジャ３７の下面には、前記スリット３７ｓに対応する部分が切り欠かれた（具体的には、主弁体１０の中間嵌挿部１０ｃの外径より幅広の部分が切り欠かれた）平面視で略Ｃ字状の筒状脚部３７ａが（下向きに）突設されている。この筒状脚部３７ａは、主弁体１０の中間嵌挿部１０ｃ（の上端部分）に（若干の隙間を持って）外挿されるとともに、その下端部に、後述する副弁体１５の鍔状係止部１５ｊを掛止するための外鍔状掛止部３７ｊが（外向きに）突設されている。
【００３１】
また、本例では、プランジャ３７の外周の所定位置（図示例では、切欠き３７ｔ及びスリット３７ｓが形成された部分）に、Ｄカット面３７ｄが形成されており、プランジャ３７（のＤカット面３７ｄ）の外周と案内パイプ３５との間に隙間３６が形成されている。なお、プランジャ３７のＤカット面３７ｄに代えて、１つもしくは複数の縦溝を形成して、プランジャ３７の外周と案内パイプ３５との間に隙間３６を形成しても良い。
【００３２】
主弁体１０は、例えば金属製とされ、軸線Ｏに沿って配置された段付き軸状の中実部材から形成されている。この主弁体１０は、下から順に、比較的大径の主弁体部１０ａ、下部小径部１０ｂ、上下方向に長い中間嵌挿部１０ｃ、上部小径部１０ｄ、及び鍔状係止部１０ｋからなっており、中間嵌挿部１０ｃの下部外周に環状溝１０Ａが上下二段で設けられている。この環状溝１０Ａに、制御弁１内を流れる冷媒に含まれるオイル（圧縮機等を潤滑させるためのオイル）が溜まることにより、例えば摺動性や液密状態の確保・向上を図ることができる。
【００３３】
前記のように、主弁体１０の中間嵌挿部１０ｃ（の案内孔１９から上側に突出した上端部分）は、プランジャ３７の下面に設けられた筒状脚部３７ａに内挿され、上部小径部１０ｄは、前記スリット３７ｓに緩く内嵌され、鍔状係止部１０ｋは、前記プランジャ３７の内側における内装部材１７より下側（言い換えれば、プランジャ３７の底部と内装部材１７の下端部との間の空間）に緩く内嵌される。前記鍔状係止部１０ｋは前記スリット３７ｓの幅より大径とされており、プランジャ３７が主弁体１０に対して上方向に移動せしめられるとき、前記スリット３７ｓの外周部分からなる内鍔状掛止部３７ｋが鍔状係止部１０ｋに引っ掛けられて抜け止め係止されるようになっている。また、前記中間嵌挿部１０ｃも前記スリット３７ｓの幅より大径とされており、前記プランジャ３７の下面における前記スリット３７ｓの外周部分が主弁体１０における中間嵌挿部１０ｃと上部小径部１０ｄとの段差部に対接せしめられるようになっている。
【００３４】
一方、弁本体２０は、上部中央に嵌合用の凹穴２０Ｃが設けられるとともに下部中央に前記凹穴２０Ｃに連なる若干小径の収容穴１８が設けられた段付き円筒状の本体部材２０Ａと、前記凹穴２０Ｃに圧入等により内挿固定される円筒状のシート部材２０Ｂとの二分割構成とされている。
【００３５】
シート部材２０Ｂは、ステンレス（ＳＵＳ）、高硬度真鍮材（鉛の含有量を少なくするなどして硬度を高めた黄銅）等から作製され、前記凹穴２０Ｃに嵌挿される嵌挿部２４の上側に（言い換えれば、嵌挿部２４からＰｓ入出室２８側へ向けて突出するように）、プランジャ３７の最下降位置を規定するためのストッパ部２４Ａが突設されている。シート部材２０Ｂ（の嵌挿部２４）の下端部は、本体部材２０Ａの凹穴２０Ｃと収容穴１８との間の段差部（段丘部）に当接せしめられている。また、シート部材２０Ｂの中央部には、縦方向に貫通するように（つまり、軸線Ｏに沿って）、前記主弁体１０の中間嵌挿部１０ｃが摺動自在に嵌挿されるとともに、中間嵌挿部１０ｃの直下に（段差部を介して）設けられた下部小径部１０ｂが内挿される案内孔１９が形成され、この案内孔１９の下端部が前記主弁体１０の下端部に設けられた主弁体部１０ａにより開閉される弁口２２（弁シート部）となっている。ここでは、主弁体部１０ａと弁口２２とで主弁部１１が構成される。
【００３６】
また、前記シート部材２０Ｂ（並びに、後述する副弁体１５の筒状部１５ｂ）（の外径）は、前記プランジャ３７より小径とされている。
【００３７】
本体部材２０Ａは、例えばアルミニウムや真鍮、あるいは樹脂等から作製され、本体部材２０Ａの凹穴２０Ｃにシート部材２０Ｂ（の嵌挿部２４）が内挿された状態で、前記ストッパ部２４Ａの外周（言い換えれば、本体部材２０Ａにおけるシート部材２０Ｂの上端側）には、圧縮機の吸入圧力ＰｓのＰｓ入出室２８が形成されるとともに、そのＰｓ入出室２８の外周側に複数個（図示例では、２個）のＰｓ入出口２７が形成されている。このＰｓ入出口２７からＰｓ入出室２８に導入された吸入圧力Ｐｓは、プランジャ３７の外周と案内パイプ３５との間に形成される隙間３６（本例では、Ｄカット面３７ｄにより形成される隙間）、プッシュロッド４６の外周と吸引子３４との間に形成される隙間３４ｂ等を介して前記感圧室４５に導入される。
【００３８】
また、本体部材２０Ａの凹穴２０Ｃの底部中央に、主弁体１０の主弁体部１０ａを収容するための、案内孔１９及び主弁体部１０ａより大径の前記収容穴１８が連設されている。収容穴１８の底部外周角部と主弁体１０の主弁体部１０ａの下部外周に設けられた段差部（段丘部）１０ｅとの間には、円錐状の圧縮コイルばねからなる閉弁ばね５０が縮装され、この閉弁ばね５０の付勢力により主弁体１０（の中間嵌挿部１０ｃと上部小径部１０ｄとの段差部）がプランジャ３７（の下面）に押し付けられる。ここでは、前記収容穴１８内（シート部材２０Ｂの弁口２２より下側部分）が、弁室２１となっている。
【００３９】
前記凹穴２０Ｃには、圧縮機の吐出室に連通するＰｄ導入口２５が複数個開口せしめられ、そのＰｄ導入口２５の外周に、リング状のフィルタ部材２５Ａが配在されるとともに、前記凹穴２０Ｃに内挿されたシート部材２０Ｂの嵌挿部２４（特に、主弁体１０の中間嵌挿部１０ｃが内挿される部分（後述する摺動面部１９ｆ及び拡幅部１９ｈ）より下側の部分）に、前記Ｐｄ導入口２５に連通するとともに前記案内孔１９に連なる複数個の横孔２５ｓが設けられている。各横孔２５ｓは、本例では、各Ｐｄ導入口２５の内側（真横）に形成されている。
【００４０】
また、本体部材２０Ａの下端部には、フィルタとして機能する蓋状部材４８が係合・圧入等により固定されており、この蓋状部材４８より上側で収容穴１８より下側（言い換えれば、本体部材２０Ａにおけるシート部材２０Ｂの下端側）が、圧縮機のクランク室に連通するＰｃ入出室（入出口）２６となっている。このＰｃ入出室（入出口）２６は、弁室２１→弁口２２と主弁体部１０ａとの間の隙間→案内孔１９の下部と下部小径部１０ｂとの間の隙間→嵌挿部２４の横孔２５ｓを介して前記Ｐｄ導入口２５に連通する。
【００４１】
さらに、本実施形態では、前記弁本体２０における本体部材２０Ａとシート部材２０Ｂとの間に、Ｐｃ入出室２６とＰｓ入出室２８とを連通するための弁本体内連通路１６Ａが設けられている。
【００４２】
詳しくは、図５〜図７を参照すればよく分かるように、前記弁本体２０におけるシート部材２０Ｂの嵌挿部２４の外周に、下端が弁室２１（及びＰｃ入出室２６）に開放する縦溝１６ｂが形成されるとともに、本体部材２０Ａの上部内周（言い換えれば、凹穴２０Ｃの上端部分）に、前記縦溝１６ｂに連なる環状凹部１６ａが形成されており、この（上下方向に延びる）縦溝１６ｂと（円周状の）環状凹部１６ａとによって、Ｐｃ入出室２６とＰｓ入出室２８とを連通する弁本体内連通路１６Ａが形成されている。この弁本体内連通路１６Ａは、弁内逃がし通路１６の一部を構成するとともに、この弁本体内連通路１６Ａの上端部（環状凹部１６Ｃの上端部）が、副弁体１５の下端部（副弁体部）１５ａが接離する副弁シート部２３となっている（後で詳述）。
【００４３】
一方、前記シート部材２０ＢにおけるＰｓ入出室２８側に突出したストッパ部２４Ａの外周には、前記弁内逃がし通路１６（弁本体内連通路１６Ａ）を開閉するための副弁体１５が上下方向に摺動自在に配在されている。
【００４４】
前記副弁体１５は、例えば金属製とされ、前記ストッパ部２４Ａに摺動自在に外挿される、ストッパ部２４Ａ（の外径）と略同径の筒状部１５ｂを有し、この筒状部１５ｂの下端部が、前記弁本体内連通路１６Ａの上端縁部である副弁シート部２３に接離して前記弁内逃がし通路１６を開閉する副弁体部１５ａとなっている。ここでは、副弁シート部２３と副弁体部１５ａとで副弁部１２が構成される。
【００４５】
また、前記筒状部１５ａの下端部には鍔状の下側ばね受け部１５ｃが（外向きに）突設されるとともに、弁本体２０（の本体部材２０Ａ）の上端部（内周）には鍔状の上側ばね受け部２０ｃが突設されており、下側ばね受け部１５ｃと上側ばね受け部２０ｃとの間に、副弁体１５を下方（弁内逃がし通路１６（弁本体内連通路１６Ａ）を閉じる閉弁方向）に付勢する逆立円錐状の圧縮コイルばねからなる閉弁ばね５１が縮装されている。
【００４６】
前記副弁体１５（の筒状部１５ｂ）の上端は、前記ストッパ部２４Ａ（の上端）より所定寸法だけ上側に位置せしめられており、図８を参照すればよく分かるように、その副弁体１５（の筒状部１５ｂ）の上端開口（副弁体部１５ａとは反対側の上端部）に、当該副弁体１５をプランジャ３７と連動して移動させるための鍔状係止部１５ｊが内向きに突設されている。ここでは、前記上端開口の半周強の部分に、前記鍔状係止部１５ｊが設けられている。この鍔状係止部１５ｊは、前記筒状部１５ｂの上端開口から、主弁体１０の中間嵌挿部１０ｃに外挿されるプランジャ３７の筒状脚部３７ａ側へ向けて突出しており、プランジャ３７が副弁体１５に対して上方向に移動せしめられるとき、前記プランジャ３７（の筒状脚部３７ａ）の外鍔状掛止部３７ｊにより前記鍔状係止部１５ｊが引っ掛けられて掛止されるようになっている。
【００４７】
本実施形態では、前記のように、Ｐｃ入出室２６、弁室２１、前記弁本体２０に設けられた弁本体内連通路１６Ａ、Ｐｓ入出室２８などで、クランク室の圧力ＰｃをＰｓ入出口２７を介して圧縮機の吸入室に逃がすための弁内逃がし通路１６が構成され、弁本体内連通路１６Ａの上端縁部である副弁シート部２３に副弁体１５の副弁体部（下端部）１５ａが離接することにより、前記弁内逃がし通路１６が開閉されるようになっている。
【００４８】
なお、前記主弁体１０及び副弁体１５とプランジャ３７との組み付けに際しては、例えば、予め弁本体２０の案内孔１９に主弁体１０を（下側から）組み付けるとともにストッパ部２４Ａに副弁体１５を（上側から）組み付けた後、プランジャ３７の切欠き３７ｔ及びスリット３７ｓに前記主弁体１０の鍔状係止部１０ｋ及び上部小径部１０ｄがそれぞれ挿入されるとともに、平面視で略Ｃ字状の筒状脚部３７ａの開放部分から主弁体１０の中間嵌挿部１０ｃが当該筒状脚部３７ａの内側に配置され、副弁体１５の上端の開放部分（鍔状係止部１５ｊが設けられていない部分）を介して前記筒状脚部３７ａが前記副弁体１５の筒状部１５ｂの上端及び鍔状係止部１５ｊの内側に配置されるように、当該主弁体１０及び副弁体１０に対してプランジャ３７を横移動させ、主弁体１０の上部小径部１０ｄをプランジャ３７のスリット３７ｓの奥側（つまり、プランジャ３７の中心軸線Ｏ上）に嵌挿すればよい。その後、当該プランジャ３７を軸線（中心線）Ｏ回りで（主弁体１０及び副弁体１５等に対して）略１８０°回転させて、プランジャ３７の外鍔状掛止部３７ｊを副弁体１５の鍔状係止部１５ｊに係合させ得る状態（図１等に示される状態）とすればよい。
【００４９】
ここで、本実施形態の制御弁１では、図１に示される如くに、プランジャ３７、主弁体１０、及び副弁体１５が最下降位置にある状態（プランジャ３７の最下端面（つまり、プランジャ３７の筒状脚部３７ａの外鍔状掛止部３７ｊの下端面）がストッパ部２４Ａ（の上面）に当接、主弁部１１は全開、副弁部１２は全閉）において、主弁体１０の主弁体部１０ａと弁口２２（弁シート部）との間の上下方向の離隔距離が第１リフト量Ｌａとされ、プランジャ３７の外鍔状掛止部３７ｊと副弁体１５の鍔状係止部１５ｊとの離隔距離が第２リフト量Ｌｂ（＞Ｌａ）とされ、プランジャ３７の内鍔状掛止部３７ｋと主弁体１０の鍔状係止部１０ｋとの離隔距離は所定量Ｌｘとされ、前記プランジャ３７の最大リフト量（第３リフト量）Ｌｃ（＞Ｌｂ）（プランジャ３７の最下降位置から最上昇位置までのリフト量）は、第１リフト量Ｌａ＋所定量Ｌｘとなっている。すなわち、Ｌｘ＞Ｌｂ−Ｌａの関係となるように各離隔距離が設定されている。
【００５０】
上記構成とされた本実施形態の制御弁１では、弁口２２の閉弁時（図２〜図４に示される主弁：閉の状態）に、Ｐｓ入出口２７（及びＰｓ入出室２８）とＰｄ導入口２５の圧力差によって主弁体１０の中間嵌挿部１０ｃ（の外周）と案内孔１９（の内壁）との間に形成される摺動面間隙（クリアランス）（より詳しくは、弁体１０の中間嵌挿部１０ｃの下部からなる摺動面部（主弁体側摺動面部）１０ｆと案内孔１９における横孔２５ｓより上側からなる摺動面部（案内孔側摺動面部）１９ｆとの間）に異物（加工組立時から残っている切削研磨屑、研磨材、摺動摩擦による摩耗分、外部からの塵埃等）が侵入するが、前記摺動面間隙（クリアランス）に異物が詰まって主弁体１０が動かなくなる（弁ロック、弁体置き去り）等の作動不良を回避すべく、次のような方策が講じられている。
【００５１】
すなわち、図５及び図６に拡大図示されているように、案内孔１９における摺動面部１９ｆの下端部（弁口２２側端部）に、円環状段差部１９ｇを介して摺動面部１９ｆより幅広の（円環状の）拡幅部１９ｈが設けられている。
【００５２】
一方、前記主弁体１０の摺動面部１０ｆは、弁口２２の閉弁時（図２〜図４、図６に示される主弁：閉の状態）に、前記案内孔１９の摺動面部１９ｆの内側に位置せしめられる（入り込む）とともに、弁口２２の開弁時（図１、図５に示される主弁：開の状態）には、主弁体１０の摺動面部１０ｆの下端部（言い換えれば、中間嵌挿部１０ｃ（の摺動面部１０ｆ）と下部小径部１０ｂとの間の段差部）が、案内孔１９において摺動面部１９ｆから外れて拡幅部１９ｈの内側もしくは当該拡幅部１９ｈより下側（弁口２２側）まで（図示例では、拡幅部１９ｈの内側まで）突出するようになっている。
【００５３】
これにより、弁口２２の閉弁時に前記摺動面間隙に侵入した異物は、弁口２２の開弁時に、拡幅部１９ｈ側に突出する主弁体１０の摺動面部１０ｆの下端部とともに当該摺動面間隙から拡幅部１９ｈ側へ抜けやすくなり、当該摺動面間隙に異物が溜まりにくくなる。
【００５４】
なお、本例では、案内孔１９における摺動面部１９ｆの下端部（横穴２５ｓの直上）に拡幅部１９ｈが設けられているが、例えば、図９に示される如くに、摺動面部１９ｆの下端部付近（の内壁）に、摺動面部１９ｆより幅広となる空間を形成するための凹溝１９ｉを形成しても、同様の作用効果が得られることは当然である。
【００５５】
また、本例では、主弁体１０（の中間嵌挿部１０ｃ）の摺動面部１０ｆの外周に形成された環状溝１０Ａより下側の部分が、案内孔１９において摺動面部１９ｆから下側（弁口２２側）へ突出するようになっているが、例えば、拡幅部１９ｈの大きさ等を調整して、図１０に示される如くに、前記環状溝１０Ａを含む部分を、案内孔１９において摺動面部１９ｆから下側（弁口２２側）へ突出するようにしてもよい。この場合、弁口２２の開弁時に、前記環状溝１０Ａに侵入・滞留する異物を（Ｐｃ入出室（入出口）２６側に）確実に排出することができる。
【００５６】
また、本例では、弁口２２の開弁時に、軸線Ｏ方向（弁口開閉方向）に対して垂直な方向で視て、主弁体１０の摺動面部１０ｆの下端部（段差部）がＰｄ導入口２５に対応する位置まで突出せず、これにより、Ｐｄ導入口２５及び横穴２５ｓから弁口２２へ向かう冷媒の流れを阻害しないようになっているが、例えば、図１１に示される如くに、主弁体１０の摺動面部１０ｆの下端部（段差部）をＰｄ導入口２５に対応する位置まで突出するようにしてもよい。この場合、弁口２２の開弁時に、Ｐｄ導入口２５及び横穴２５ｓから弁口２２へ向かう冷媒の流れ（流体力）を利用して、主弁体１０の摺動面部１０ｆの下端部とともに前記摺動面間隙から抜け出た異物を（Ｐｃ入出室（入出口）２６側に）より確実に排出することができる。
【００５７】
［制御弁１の動作］
次に、上記構成とされた制御弁１の動作を概説する。
【００５８】
通常制御時（Ｐｄ→Ｐｃ制御時）には、プランジャ３７のリフト量は、最大でも前記第１リフト量Ｌａ強とされ、圧縮機起動時（Ｐｃ→Ｐｓ制御時）には、プランジャ３７のリフト量は、前記第３リフト量Ｌｃとされる。
【００５９】
すなわち、通常制御時（Ｐｄ→Ｐｃ制御時）には、コイル３２、ステータ３３及び吸引子３４等からなるソレノイド部３０Ａが通電励磁されると、吸引子３４にプランジャ３７が引き寄せられ、この動きに追従して、閉弁ばね５０の付勢力により主弁体１０が上方（閉弁方向）に移動せしめられる。一方、圧縮機からＰｓ入出口２７に導入された吸入圧力Ｐｓは、Ｐｓ入出室２８からプランジャ３７の外周と案内パイプ３５との間の隙間３６等を介して感圧室４５に導入され、ベローズ装置４０（内部は真空圧）は感圧室４５の圧力（吸入圧力Ｐｓ）に応じて伸縮変位（吸入圧力Ｐｓが高いと収縮、低いと伸張）し、該変位がプッシュロッド４６や内装部材１７、プランジャ３７を介して主弁体１０に伝達され、それによって、弁開度（弁口２２と主弁体部１０ａとの離隔距離）が調整され、その弁開度に応じて、クランク室の圧力Ｐｃが調整される。
【００６０】
この場合、主弁体１０は閉弁ばね５０の付勢力により常に上向きに付勢されているとともに、プランジャ３７の外鍔状掛止部３７ｊに副弁体１５の鍔状係止部１５ｊは掛止されておらず（Ｌｂ＞Ｌａであるため）、副弁体１５は閉弁ばね５１の付勢力により常に下向きに付勢されているので、副弁体部１５ａは副弁シート部２３に押し付けられた状態（副弁部１２が閉弁）となり、弁内逃がし通路１６は弁本体２０内で遮断されている。そのため、弁内逃がし通路１６を通じてクランク室の圧力Ｐｃが吸入室に逃がされることはない。
【００６１】
それに対し、圧縮機起動時には、ソレノイド部３０Ａが通電励磁されて、吸引子３４にプランジャ３７が引き寄せられ、この上方向移動に追従して主弁体１０が上方向に移動せしめられ、主弁体１０の主弁体部１０ａにより弁口２２が閉じられた後、さらにプランジャ３７が上方向に移動せしめられ、これによって副弁体１５が弁内逃がし通路１６を開くようにされ、クランク室の圧力Ｐｃが弁内逃がし通路１６を通じて吸入室に逃がされる。
【００６２】
詳細には、プランジャ３７の上方向移動量が第１リフト量Ｌａに達するまでは、主弁体１０が閉弁ばね５０の付勢力によりプランジャ３７の上方向移動に追従するように閉弁方向に移動し、前記上方向移動量が前記第１リフト量Ｌａに達すると、主弁体１０の主弁体部１０ａにより弁口２２が閉じられる（図２に示される状態）。圧縮機起動時には、この主弁部１１の閉弁状態から（主弁体１０は閉弁状態のまま不動から）さらにプランジャ３７が上方向に移動せしめられる。プランジャ３７の上方向移動量が第２リフト量Ｌｂに達するまでは、副弁体１５は閉弁ばね５１の付勢力により閉弁状態のまま（副弁体部１５ａが副弁シート部２３に押し付けられたまま）不動である。前記上方向移動量が前記第２リフト量Ｌｂに達すると、プランジャ３７の外鍔状掛止部３７ｊが副弁体１５の鍔状係止部１５ｊに係止される（図３に示される状態）。そして、この状態から、プランジャ３７の内鍔状掛止部３７ｋが主弁体１０の鍔状係止部１０ｋに係止されるまで、つまり、Ｌｘ−（Ｌｂ−Ｌａ）分だけプランジャ３７がさらに上方向に移動せしめられる（図４に示される状態）。言い換えれば、プランジャ３７の上方向移動量が前記第１リフト量Ｌａに達した後、プランジャ３７の内鍔状掛止部３７ｋが主弁体１０の鍔状係止部１０ｋに係止されるまでのＬｘ−（Ｌｂ−Ｌａ）分だけ副弁体１５が（弁本体２０から）引き上げられる。この場合、主弁体１０は閉弁状態のまま不動である一方で、副弁体１５の副弁体部１５ａは副弁シート部２３から前記Ｌｘ−（Ｌｂ−Ｌａ）分リフトせしめられ、これによって弁内逃がし通路１６が開かれる。プランジャ３７の内鍔状掛止部３７ｋが主弁体１０の鍔状係止部１０ｋに係止されると、ソレノイド部３０Ａが吸引力を発生しても、プランジャ３７及び副弁体１５はそれ以上引き上げられない。
【００６３】
このように、本実施形態の制御弁１においては、圧縮機起動時に、クランク室の圧力Ｐｃは弁内逃がし通路１６を通じて吸入室に逃がされることになるため、圧縮機起動時において吐出容量が大きくなるまでに要する時間を大幅に短縮することができる。また、通常制御時（Ｐｄ→Ｐｃ制御時）には、弁内逃がし通路１６は副弁体１５により閉じられているため、圧縮機の運転効率が低下することはない。
【００６４】
また、本実施形態の制御弁１においては、弁口２２の開弁時に、主弁体１０（の中間嵌挿部１０ｃ）の摺動面部１０ｆの下端部が案内孔１９における摺動面部１９ｆから弁口２２側へ突出することにより、弁口２２の閉弁時に主弁体１０と案内孔１９との間に形成される摺動面隙間（クリアランス）に侵入した異物が、弁口２２の開弁時に、摺動面部１９ｆから弁口２２側へ突出する主弁体１０によって当該摺動面隙間（クリアランス）から拡幅部１９ｈを介して弁口２２及び弁室２１を通ってＰｃ入出室（入出口）２６側に排出されやすくなり、当該摺動面間隙に異物が溜まらないようにできるので、弁ロック、主弁体置き去り等の作動不良を生じ難くできる。
【００６５】
なお、上記実施形態では、弁本体２０を本体部材２０Ａとシート部材２０Ｂとの二部品構成とし、弁本体２０におけるシート部材２０Ｂの外周に形成した縦溝１６ｂと本体部材２０の内周に形成した環状凹部１６ａとによって、弁内逃がし通路１６の一部を構成する弁本体内連通路１６Ａを形成しているが、例えば、前記弁本体内連通路１６Ａは、シート部材２０Ｂ側又は本体部材２０Ａ側のいずれかにのみ設けても良いし、前記弁本体内連通路１６Ａの形状は上記形状のみに限定されないことは勿論である。また、例えば、前記弁本体２０を（本体部材２０Ａとシート部材２０Ｂとの二部品ではなく）一部品で形成し、その弁本体に貫通孔等からなる弁本体内連通路を形成しても良い。
【００６６】
また、前記弁内逃がし通路１６を開閉する副弁体１５の配置箇所や形状、プランジャ３７との連結機構等は、適宜に変更できることは詳述するまでも無い。
【００６７】
＜第２実施形態＞
図１２〜図１４は、それぞれ本発明に係る可変容量型圧縮機用制御弁の第２実施形態を示す縦断面図であり、図１２は主弁：開、副弁：閉の状態（通常制御時）、図１３は主弁：閉、副弁：閉の状態（圧縮機起動移行時）、図１４は主弁：閉、副弁：開の状態（圧縮機起動時）を示している。また、図１５は、図１２のＣ部拡大図、図１６は、図１３のＤ部拡大図、図１７は、図１２のＸ−Ｘ矢視線に従う断面図である。
【００６８】
本第２実施形態の制御弁２は、前述した第１実施形態の制御弁１に対し、主に、クランク室の圧力ＰｃをＰｓ入出口２７を介して圧縮機の吸入室に逃がすための弁内逃がし通路１６が（弁本体２０内ではなく）主弁体１０内に設けられている点が相違しており、その他の構成は略同じである。したがって、第１実施形態の制御弁１の各部と同様の構成及び作用効果を有する部分には共通の符号を付して重複説明を省略し、以下においては、相違点を重点的に説明する。
【００６９】
［制御弁２の構成］
図示実施形態の制御弁２では、上記第１実施形態の制御弁１におけるプランジャ３７の下面に設けられた筒状脚部３７ａ、弁本体２０の弁本体内連通路１６Ａ、弁本体２０のシート部材２０Ｂ（のストッパ部２４Ａ）に外挿される筒状部１５ｂを持つ副弁体１５等が省略され、プランジャ３７に内挿固定された内装部材１７が副弁体１７Ｂとされ、プッシュロッド４６の大径部４６ｂの形成される段差部４６ｃとの間に縮装されたプランジャばね４７により副弁体（内装部材）１７Ｂが下方に付勢された状態で当該副弁体１７Ｂとプランジャ３７とが一緒に上下動するようになっている。このプランジャばね４７（の圧縮力）により、副弁体１７Ｂが後述する弁内逃がし通路１６を閉じる方向に付勢されるとともに、プッシュロッド４６を介して前記ベローズ装置４０が感圧室４５内で保持されている。
【００７０】
また、本実施形態では、前記副弁体１７Ｂの下側に配置された主弁体１０は、例えば非磁性材で作製され、その内部中央に、縦方向（軸線Ｏ方向）に貫通するように弁内逃がし通路１６の一部を構成する貫通逃がし孔１６Ｂが設けられている。
【００７１】
副弁体１７Ｂは、前述のように、前記主弁体１０の上側で前記プランジャ３７に内挿固定されており、その外径（＝プランジャ３７の内径）は、前記主弁体１０の鍔状係止部１０ｋの外径より大きくされており、その下端部（平坦面）が、貫通逃がし孔１６Ｂの上端縁部である副弁シート部（逆立円錐台面部）２３に接離して弁内逃がし通路１６を開閉する副弁体部１７ａとされている。
【００７２】
前記のように、本第２実施形態では、Ｐｃ入出室２６、弁室２１、主弁体１０に形成された貫通逃がし孔１６Ｂ、プランジャ３７内、Ｐｓ入出室２８などで、クランク室の圧力ＰｃをＰｓ入出口２７を介して圧縮機の吸入室に逃がすための弁内逃がし通路１６が構成され、主弁体１０の貫通逃がし孔１６Ｂの上端縁部である副弁シート部２３に副弁体１７Ｂの副弁体部（下端部）１７ａが接離することにより、前記弁内逃がし通路１６が開閉されるようになっている。
【００７３】
ここで、本実施形態の制御弁２では、図１２に示される如くに、プランジャ３７、主弁体１０、及び副弁体１７Ｂが最下降位置にある状態（プランジャ３７の最下端面がストッパ部２４Ａに当接、主弁部１１は全開、副弁部１２は全閉）において、主弁体１０の主弁体部１０ａと弁口２２（弁シート部）との間の上下方向の離隔距離が第１リフト量Ｌｄとされ、プランジャ３７の内鍔状掛止部３７ｋと主弁体１０の鍔状係止部１０ｋとの離隔距離は所定量Ｌｙとされ、前記プランジャ３７の最大リフト量（第２リフト量）Ｌｅ（プランジャ３７の最下降位置から最上昇位置までのリフト量）は、第１リフト量Ｌｄ＋所定量Ｌｙとなっている。
【００７４】
さらに、本第２実施形態の制御弁２においても、前述した第１実施形態の制御弁１と同様、主弁体１０の中間嵌挿部１０ｃ（の外周）と案内孔１９（の内壁）との間に形成される摺動面間隙（クリアランス）に異物（加工組立時から残っている切削研磨屑、研磨材、摺動摩擦による摩耗分、外部からの塵埃等）が詰まって主弁体１０が動かなくなる（弁ロック、弁体置き去り）等の作動不良を回避すべく、案内孔１９における摺動面部１９ｆの下端部（弁口２２側端部）に、円環状段差部１９ｇを介して摺動面部１９ｆより幅広の（円環状の）拡幅部１９ｈが設けられ、弁口２２の開弁時に、主弁体１０の摺動面部１０ｆの下端部（言い換えれば、中間嵌挿部１０ｃ（の摺動面部１０ｆ）と下部小径部１０ｂとの間の段差部）が、案内孔１９において摺動面部１９ｆから外れて拡幅部１９ｈの内側もしくは当該拡幅部１９ｈより下側（弁口２２側）まで（図示例では、拡幅部１９ｈの内側まで）突出するようになっている（特に、図１５及び図１６参照）。
【００７５】
［制御弁２の動作］
次に、上記構成とされた制御弁２の動作を概説する。
【００７６】
通常制御時（Ｐｄ→Ｐｃ制御時）には、プランジャ３７（及び副弁体１７Ｂ）のリフト量は、最大でも前記第１リフト量Ｌｄ強とされ、圧縮機起動時（Ｐｃ→Ｐｓ制御時）には、プランジャ３７（及び副弁体１７Ｂ）のリフト量は、前記第２リフト量Ｌｅとされる。
【００７７】
すなわち、通常制御時（Ｐｄ→Ｐｃ制御時）には、コイル３２、ステータ３３及び吸引子３４等からなるソレノイド部３０Ａが通電励磁されると、吸引子３４にプランジャ３７及び副弁体１７Ｂが共に（上方向に）引き寄せられ、この動きに追従して、閉弁ばね５０の付勢力により主弁体１０が上方（閉弁方向）に移動せしめられる。一方、圧縮機からＰｓ入出口２７に導入された吸入圧力Ｐｓは、Ｐｓ入出室２８からプランジャ３７の外周と案内パイプ３５との間の隙間３６等を介して感圧室４５に導入され、ベローズ装置４０（内部は真空圧）は感圧室４５の圧力（吸入圧力Ｐｓ）に応じて伸縮変位（吸入圧力Ｐｓが高いと収縮、低いと伸張）し、該変位がプッシュロッド４６や副弁体１７Ｂ等を介して主弁体１０に伝達され、それによって、弁開度（弁口２２と主弁体部１５ａとの離隔距離）が調整され、その弁開度に応じて、クランク室の圧力Ｐｃが調整される。
【００７８】
この場合、主弁体１０は閉弁ばね５０の付勢力により常に上向きに付勢されているとともに、副弁体１７Ｂは開弁ばね４７の付勢力により常に下向きに付勢されているので、副弁体部１７ａは副弁シート部２３に押し付けられた状態（副弁部１２が閉弁）となり、弁内逃がし通路１６は主弁体１０内で遮断されている。そのため、弁内逃がし通路１６を通じてクランク室の圧力Ｐｃが吸入室に逃がされることはない。
【００７９】
それに対し、圧縮機起動時には、ソレノイド部３０Ａが通電励磁されて、吸引子３４にプランジャ３７及び副弁体１７Ｂが共に（上方向に）引き寄せられ、この上方向移動に追従して主弁体１０が上方向に移動せしめられ、主弁体１０の主弁体部１０ａにより弁口２２が閉じられた後、さらにプランジャ３７及び副弁体１７Ｂが上方向に移動せしめられ、これによって副弁体１７Ｂが弁内逃がし通路１６を開くようにされ、クランク室の圧力Ｐｃが弁内逃がし通路１６を通じて吸入室に逃がされる。
【００８０】
詳細には、プランジャ３７（及び副弁体１７Ｂ）の上方向移動量が第１リフト量Ｌｄに達するまでは、主弁体１０が閉弁ばね５０の付勢力によりプランジャ３７及び副弁体１７Ｂの上方向移動に追従するように閉弁方向に移動し、前記上方向移動量が前記第１リフト量Ｌｄに達すると、主弁体１０の主弁体部１０ａにより弁口２２が閉じられ（図１３に示す状態）、この主弁部１１の閉弁状態からさらにプランジャ３７及び副弁体１７Ｂが前記所定量Ｌｙ分上方向に移動せしめられる（図１４に示す状態）。言い換えれば、プランジャ３７及び副弁体１７Ｂの上方向移動量が前記第１リフト量Ｌｄに達した後、プランジャ３７の内鍔状掛止部３７ｋが主弁体１０の鍔状係止部１０ｋに係止されるまでの所定量Ｌｙ分だけ副弁体１７Ｂがプランジャ３７と共に吸引子３４側に引き寄せられる（第１リフト量Ｌｄ＋所定量Ｌｙ＝第２リフト量Ｌｅ）。この場合、主弁体１０は閉弁状態のまま不動であるので、副弁体１７Ｂの副弁体部１７ａは、副弁シート部２３から所定量Ｌｙ分リフトせしめられ、これによって弁内逃がし通路１６が開かれる。プランジャ３７の内鍔状掛止部３７ｋが主弁体１０の鍔状係止部１０ｋに係止されると、ソレノイド部３０Ａが吸引力を発生しても、プランジャ３７及び副弁体１７Ｂはそれ以上引き上げられない。
【００８１】
このような構成とされた本実施形態の制御弁２においても、前述した第１実施形態の制御弁１と同様の作用効果が得られることは勿論である。なお、本第２実施形態の制御弁２の詳細構造について、必要であれば、本発明者等による特開２０１８−００３８８４号公報等を併せて参照されたい。
【符号の説明】
【００８２】
１      可変容量型圧縮機用制御弁（第１実施形態）
２      可変容量型圧縮機用制御弁（第２実施形態）
１０    主弁体
１０ａ  主弁体部
１０ｂ  下部小径部
１０ｃ  中間嵌挿部
１０ｄ  上部小径部
１０ｆ  摺動面部（主弁体側摺動面部）
１０ｋ  鍔状係止部
１０Ａ  環状溝
１１    主弁部
１２    副弁部
１５    副弁体
１５ａ  副弁体部
１５ｂ  筒状部
１５ｊ  鍔状係止部
１６    弁内逃がし通路
１６ａ  環状凹部
１６ｂ  縦溝
１６Ａ  弁本体内連通路
１６Ｂ  貫通逃がし孔（第２実施形態）
１７    内装部材
１７Ｂ  副弁体（第２実施形態）
１８    収容穴
１９    案内孔
１９ｆ  摺動面部（案内孔側摺動面部）
１９ｇ  円環状段差部
１９ｈ  拡幅部
２０    弁本体
２０Ａ  本体部材
２０Ｂ  シート部材
２０Ｃ  凹穴
２１    弁室
２２    弁口
２３    副弁シート部
２４    嵌挿部
２４Ａ  ストッパ部
２５    Ｐｄ導入口
２５ｓ  横孔
２６    Ｐｃ入出室（入出口）
２７    Ｐｓ入出口
２８    Ｐｓ入出室
３０    電磁式アクチュエータ
３０Ａ  ソレノイド部
３２    コイル
３３    ステータ
３４    吸引子
３７    プランジャ
３７ａ  筒状脚部
３７ｊ  外鍔状掛止部
３７ｋ  内鍔状掛止部
３７ｓ  スリット
３７ｔ  切欠き
４０    ベローズ装置（感圧応動部材）
４５    感圧室
４６    プッシュロッド
５０    閉弁ばね
５１    閉弁ばね
【図１】
2019132137.tif 000003
【図２】
2019132137.tif 000004
【図３】
2019132137.tif 000005
【図４】
2019132137.tif 000006
【図５】
2019132137.tif 000007
【図６】
2019132137.tif 000008
【図７】
2019132137.tif 000009
【図８】
2019132137.tif 000010
【図９】
2019132137.tif 000011
【図１０】
2019132137.tif 000012
【図１１】
2019132137.tif 000013
【図１２】
2019132137.tif 000014
【図１３】
2019132137.tif 000015
【図１４】
2019132137.tif 000016
【図１５】
2019132137.tif 000017
【図１６】
2019132137.tif 000018
【図１７】
2019132137.tif 000019